(57)【要約】【課題】  防犯面に優れており、雨戸を閉扉したときであっても、簡易な構造でスラットの傾き角度を自在に調整可能であって、十分な採光及び通気が可能なブラインド式雨戸を提供する。【解決手段】  建物１の壁面には、窓又は扉用の開口部２が設けられており、この開口部２にはサッシ３が設置されている。また、このサッシ３のガイドレールに沿ってスライド開閉可能なように、窓戸４がサッシ３に取り付けられている。  また、建物１の外壁６には、ステンレス又はアルミニウム製の雨戸用案内枠２０が固定されている。この雨戸用案内枠２０には、窓戸４を閉じるためのブラインド式雨戸１９が、窓戸４の開閉方向と略同方向に開閉可能なように嵌合されている。【選択図】        図１
2008285890.tif 000002
【特許請求の範囲】
【請求項１】
建物の窓又は扉の周囲の外壁に固定した方形枠形状の雨戸用案内枠の上枠から、レージトングにより連絡した複数のスラットを吊設し、前記雨戸用案内枠の上枠及び下枠に設けられた前記外壁に略平行なガイドレールに沿って開閉自在とした伸縮可能なブラインド式雨戸であって、
前記レージトングは、前記伸縮方向に複数が連結されて構成され、該複数のレージトングは、互いに独立に伸縮自在に構成されていることを特徴とするブラインド式雨戸。
【請求項２】
前記複数のレージトングは、それぞれ複数のリンクがＸ字状に回動自在に連結して構成され、前記複数のレージトングの連結部分は、前記Ｘ字状のリンクの一端が自由端として構成されていることを特徴とする請求項１記載のブラインド式雨戸。
【請求項３】
前記レージトングは、前記スラットの上下端部を挟持固定する第１のリンクと、該第１のリンクとＸ字状に回動自在に連結される第２のリンクとを有してエキスパンダー式に伸縮自在に構成され、
隣接する他のレージトングとの結合部分では、前記第２のリンクの一端が自由端として構成されていることを特徴とする請求項２記載のブラインド式雨戸。
【請求項４】
前記スラットの端部に框部が連結され、該框部には施錠手段が設けられ、
該施錠手段は、両開き式の場合に両雨戸の前記框部同士を施錠する打掛錠、鎌状部材が施錠方向へ回動して施錠する鎌錠又は前記框部に上下動可能に支持されて前記雨戸用案内枠の上枠若しくは下枠の少なくとも一方に挿脱可能に構成されるフランス錠の少なくとも１つからなることを特徴とする請求項１から３のいずれか１項に記載のブラインド式雨戸。
【発明の詳細な説明】
【技術分野】
【０００１】
本発明は、ブラインド式雨戸に関し、特に、屈伸リンクにより開扉又は閉扉するブラインド式雨戸に関する。
【背景技術】
【０００２】
従来の横引き雨戸は、閉扉すると、外の光を完全に遮光し、通気もできない。一方、開扉すると、採光や通気は可能となるものの、家屋の中等が外から見えてしまったり、家屋内に侵入しやすくなったりといったプライバシーや防犯上の問題が発生する。
従って、従来は、採光や通気を行うときは、必ず家屋等に人が残ってプライバシーや防犯の面で注意しつつ雨戸を開扉するしかなく、採光・通気中に外出すること等完全に不可能であった。
【０００３】
このような問題を解決するためのものとして、特許文献１が開示するところのブラインド式雨戸が提案されている。
このブラインド式雨戸は、屈伸リンクにより連絡させた複数の板状のスラットを、上部及び下部のサッシに沿って移動可能なように上部のサッシから吊設したものである。
その複数のスラット群の側方の一端は屈折リンクを介して框部に接続されており、開扉状態でこの框部をサッシに沿って閉扉方向にスライドさせると、その屈伸リンクがサッシに沿って伸長して、これら複数のスラットが板の略正面を向き、雨戸が閉扉する。
そして、閉扉状態のまま、框部側の一方のリンクを取り外して、屈伸リンクをサッシに沿って収縮させると、それら複数のスラットは、雨戸正面から所定の角度に傾き、雨戸が閉じた状態のまま各スラット間が開口する。この結果、プライバシーや防犯上の問題を気にすることなく、採光及び通気を行うことができるようになる。
【特許文献１】特許第２９５８３０４号
【発明の開示】
【発明が解決しようとする課題】
【０００４】
しかしながら、特許文献１に開示されるブラインド式雨戸では、雨戸を閉じたまま各スラット間を開口する際に、そのスラットの傾き角度を大きくしようとするほど、框部の構造がより複雑になってしまうという問題がある。
すなわち、雨戸を閉じたまま各スラット間を開口する際には、框部側の一方のリンクを取り外すものの他方のリンクは依然接続されたままであるので、框部の位置を変えないまま框部から離れる方向へ屈伸リンクを収縮させようとする場合には、その収縮方向へ框部が伸長する等の複雑な構造をさらに設けなければならない。
さらに、スラットの傾きを大きくしようとするほど、屈伸リンクをより収縮させなければならず、その結果、框部の伸長機能等を向上させなければならないので、構造はより複雑になってしまう。
また、框部を伸縮可能に構成すると、サッシから容易に外れてしまうおそれがあり、防犯面の効果が薄くなってしまう。
【０００５】
本発明は、上記問題点に鑑みてなされたものであり、防犯面に優れており、雨戸を閉扉したときであっても、簡易な構造でスラットの傾き角度を自在に調整可能であって、十分な採光及び通気が可能なブラインド式雨戸を提供することを目的とする。
【課題を解決するための手段】
【０００６】
かかる目的を達成するため、本発明は、建物の窓又は扉の周囲の外壁に固定した方形枠形状の雨戸用案内枠の上枠から、レージトングにより連絡した複数のスラットを吊設し、雨戸用案内枠の上枠及び下枠に設けられた外壁に略平行なガイドレールに沿って開閉自在とした伸縮可能なブラインド式雨戸であって、そのレージトングは、伸縮方向に複数が連結されて構成され、複数のレージトングは、互いに独立に伸縮自在に構成されていることを特徴とする。
【０００７】
また、それら複数のレージトングは、それぞれ複数のリンクがＸ字状に回動自在に連結して構成され、それら複数のレージトングの連結部分は、Ｘ字状のリンクの一端が自由端として構成されていることを特徴とする。
【０００８】
また、そのレージトングは、スラットの上下端部を挟持固定する第１のリンクと、第１のリンク（リンク４７ｂに相当）とＸ字状に回動自在に連結される第２のリンク（リンク４７ａ，４７ｃに相当）とを有してエキスパンダー式に伸縮自在に構成され、隣接する他のレージトングとの結合部分では、第２のリンクの一端が自由端として構成されている（リンク４７ｃに相当）ことを特徴とする。
【０００９】
また、そのスラットの端部に框部が連結され、その框部には施錠手段が設けられ、その施錠手段は、両開き式の場合に両雨戸の前記框部同士を施錠する打掛錠、鎌状部材が施錠方向へ回動して施錠する鎌錠又は框部に上下動可能に支持されて雨戸用案内枠の上枠若しくは下枠の少なくとも一方に挿脱可能に構成されるフランス錠の少なくとも１つからなることを特徴とする。
【発明の効果】
【００１０】
本発明におけるブラインド式雨戸は、建物の窓又は扉の周囲の外壁に固定した方形枠形状の雨戸用案内枠の上枠から、レージトングにより連絡した複数のスラットを吊設し、雨戸用案内枠の上枠及び下枠に設けられた外壁に略平行なガイドレールに沿って開閉自在とした伸縮可能であって、そのレージトングは、伸縮方向に複数が連結されて構成され、複数のレージトングは、互いに独立に伸縮自在に構成されているので、簡易な構成で、ブラインド式雨戸を閉じたままスラットを容易に開閉させることができ、十分な採光及び通気ができるとともに、ブラインド式雨戸が雨戸用案内枠から外れることを防止し、安全面の向上を図ることが可能となる。
【発明を実施するための最良の形態】
【００１１】
（ブラインド式雨戸の取付部分の構成）
以下、本実施の形態におけるブラインド式雨戸１９について説明するが、便宜上、雨戸の外側を正面、家屋側を背面、正面側から見て左右両端側を側面とする。
【００１２】
まず、本発明の実施の形態におけるブラインド式雨戸１９及びその雨戸周囲の取付部分の構成について説明する。
図１は、本発明の実施の形態におけるブラインド式雨戸１９の開扉時の縦断面図である。また、図２は、本実施の形態における開扉時の横断面図であり、図１のＡ−Ａ線で切った断面を示している。
図１に示すように、建物１の壁面には、窓又は扉用の開口部２が設けられており、この開口部２にはサッシ３が設置されている。また、このサッシ３のガイドレールに沿ってスライド開閉可能なように、窓戸４がサッシ３に取り付けられている。
また、建物１の外壁６には、ステンレス又はアルミニウム製の雨戸用案内枠２０が固定されている。この雨戸用案内枠２０は、上枠２１と、下枠２２と、左右両縦枠２３とからなる略方形枠状に構成される。
さらに、この雨戸用案内枠２０には、窓戸４を閉じるためのブラインド式雨戸１９が、窓戸４と略同方向に開閉可能なように嵌合されている。
【００１３】
そのブラインド式雨戸１９は、例えばアルミニウム製であって、図２に示すように、伸縮自在に構成される伸縮機構４１により片開きに左右開閉自在に構成されている。
この伸縮機構４１は、側方の一端が一方の縦枠２３と連結されており、その他端が把手等の設けられている框部５５と連結されている。
その把手を把持して、その連結する縦枠２３側方向へ伸縮機構４１を収縮させるとブラインド式雨戸１９が開扉し、反対側（框部５５側）方向へ伸長させると閉扉する。
さらに、伸縮機構４１は、その連結する縦枠２３側から伸縮方向に沿って、ほぼ同一の構造の第１のレージトング４１Ａと、第２のレージトング４１Ｂとが連結されて構成されている。これら第１，第２のレージトング４１Ａ，４１Ｂは、それぞれが独立して伸縮可能に構成されている。
また、この伸縮機構４１は、複数のリンク４７がＸ字状に回動自在に連結してエキスパンダー式に構成されており、開扉時には収縮し、閉扉時には伸長する。
なお、図１，２では、それらリンク４７が折り畳まれて伸縮機構４１が収縮し、ブラインド式雨戸１９が完全に開扉した状態を示している。
【００１４】
（ブラインド式雨戸の構成）
次に、ブラインド式雨戸１９の構成についてさらに詳細に説明する。
【００１５】
図３は、そのブラインド式雨戸１９の拡大斜視図である。
図に示すように、ブラインド式雨戸１９は、短冊状に形成された複数のスラット３８と、これら各スラット３８の上端部及び下端部を連結する伸縮自在の伸縮機構４１と、上側の伸縮機構４１を雨戸用案内枠２０の上枠２１（図１参照）から転動自在に吊支するガイドローラ４２と、下側の伸縮機構４１を雨戸用案内枠２０の下枠２２（図１参照）に移動可能に係合させるガイドピン４３とを有して構成されている。
【００１６】
スラット３８は、細長い板体により構成され、ブラインド式雨戸１９が完全に閉扉されたときには、これら各スラット３８が、正面を向いて外部の光や空気を遮断する。一方、雨戸１９を閉扉したまま、これら各スラット３８を傾けることで各スラット３８間に間隙が生じ、採光及び通気が可能になる。
【００１７】
また、スラット３８は、両側端部に相反する方向へ折曲された係止縁４４を有し、この係止縁４４には上下方向に沿って凹溝４５が形成されている。この凹溝４５には、細長状に形成されたシール部材４６（例えばゴム材など）が固着され、各スラット３８の係止縁４４同士が密着したときの水密性、防音性及び断熱性を向上させている。
【００１８】
また、スラット３８の上下端部には、上記した第１，第２のレージトング４１Ａ，４１Ｂを有する伸縮機構４１が取り付けられている。
【００１９】
ここで、各レージトング４１Ａ，４１Ｂの構造について詳細に説明する。
各レージトング４１Ａ，４１Ｂは、それぞれ形状の異なる三種類のリンク４７ａ，４７ｂ，４７ｃを中央部で軸着してＸ字状に回動自在に組み合わせた複数組をヒンジ結合してエキスパンダー式に伸縮自在に構成されている。
【００２０】
このうち、リンク４７ｂは、断面Ｌ字状に折曲形成されたプレートにより構成されており、スラット３８の上下端部が挟持固定されている。
【００２１】
一方、リンク４７ａは、一方が横断面円弧状に折曲形成されたプレート（折曲角度が緩やかに設定されている）により構成されており、その両端及び中央の３点でリンク４７ｂと回動自在に連結されている。
【００２２】
また、両レージトング４１Ａ，４１Ｂともに、前述の伸縮機構４１の連結する縦枠２３に最も近い側において、リンク４７ａの代わりにリンク４７ｃが設けられている。
このリンク４７ｃは、リンク４７ａと同形状であるが、その長さがほぼ半分に構成されており、その両端の２点においてのみリンク４７ｂと回動自在に連結されている（中央は連結されていない）。従って、そのリンク４７ｃの一端は開放されており、これらリンク４７ｂ，４７ｃが連結するＸ字状のリンク部分では、そのＸ字状の一端が開放され自由端を構成している。すなわち、第１のレージトング４１Ａの最も框部５５側のリンク４７ｂは、その框部５５側の端部が開放され、中央部分及び縦枠２３側の端部のみリンク４７ａと連結されている。
【００２３】
以上のように構成される第１，第２のレージトング４１Ａ，４１Ｂのうち、スラット３８上端側の第１，第２のレージトング４１Ａ，４１Ｂは、ガイドローラ４２により転動自在に吊支される。
図４は、その第１，第２のレージトング４１Ａ，４１Ｂとガイドローラ４２との結合部分を詳細に示した分解斜視図である。
図に示すように、ガイドローラ４２は、リンク４７ａ，４７ｂの一端部を連通する穴部に挿通されたロッド４８と、このロッド４８の上端部に回転自在に固定された板状の基部４９と、この基部４９の左右方向に回転自在に挿通されて雨戸用案内枠２０の上枠２１に両端部が支持された回転軸５０と、この回転軸５０に回転自在に挿通されて両端部に回転自在に軸支され内周面にベアリングを備えた一対のローラ部５２とを有して構成されている。
また、そのロッド４８の下端外周面には雄ねじが形成されている。このロッド４８の下端部は、一対のワッシャー５３を介してナット５４に螺合され、これによりリンク４７ａ，４７ｂの一端部に固定されている。
なお、以上、ガイドローラ４２が、リンク４７ａ，４７ｂと結合している部分について説明したが、リンク４７ｂ，４７ｃとの結合部分についても同様の構成である。
【００２４】
このように、このブラインド式雨戸１９は、複数のリンク４７（リンク４７ａ，４７ｂ，４７ｃ）がＸ字状に回動自在に連結してエキスパンダー式に伸縮自在に構成されている伸縮機構４１を有しており、この伸縮機構４１が伸縮動作を行うことによりブラインド式雨戸１９の開閉が行われる。
【００２５】
（ブラインド式雨戸のスラットの開閉動作）
以上のように構成したブラインド式雨戸１９は、閉扉したままスラット３８の傾きを変えることにより、各スラット３８間に間隙を生じさせ、その間隙から十分な採光及び通気が可能となる。
以下、このスラット３８の開閉動作について以下詳細に説明する。
【００２６】
図５は、ブラインド式雨戸１９が閉扉し、スラット３８も完全に閉扉した状態を示す正面図であり、図６は、その上面透過図である。
図に示すように、第１のレージトング４１Ａの側方一端は縦枠２３に連結され、他端は第２のレージトング４１Ｂと連結されている。そして、第２のレージトング４１Ｂの側方のうち第１のレージトング４１Ａと連結していない側は、框部５５と連結されている。
【００２７】
これら各連結部分のうち、第１のレージトング４１Ａと縦枠２３との連結部分においては、第１のレージトング４１Ａにおいて最もその連結側に位置するリンク４７ｂが縦枠２３に対して回動自在に連結されている。
【００２８】
また、第２のレージトング４１Ｂと框部５５との連結部分においては、第２のレージトング４１Ｂにおいて最もその連結側に位置するリンク４７ａが框部５５に対して回動自在に連結されている。
【００２９】
また、第１，第２のレージトング４１Ａ，４１Ｂの連結部分においては、第２のレージトング４１Ｂのリンク４７ｃが、第１のレージトング４１Ａにおけるその最も連結側に位置するリンク４７ｂと連結されないように構成されているので、第１，第２のレージトング４１Ａ，４１Ｂは、それぞれ互いに独立に伸縮可動することが可能となっている。すなわち、第１，第２のレージトング４１Ａ，４１Ｂが、それぞれ異なった伸縮状態をとることができる。
例えば、図に示すように、雨戸１９及びスラット３８が双方とも完全に閉扉しているときには、第１のレージトング４１Ａが完全に収縮し、第２のレージトング４１Ｂが完全に伸長している。すなわち、雨戸１９が取り付けられる窓又は扉用の開口面に対して、第１のレージトング４１Ａのスラット３８は略垂直に起立し、第２のレージトング４１Ｂのスラット３８は略平行となっている。
【００３０】
図７は、ブラインド式雨戸１９が閉扉したままスラット３８が開扉し始めた状態を示す正面図であり、図８は、その上面透過図である。
図に示すように、ブラインド式雨戸１９を閉扉させたまま、完全に収縮している第１のレージトング４１Ａの伸長を開始させるとともに、完全に伸長している第２のレージトング４１Ｂの収縮を開始させると、窓又は扉用の開口面に対して、第１のレージトング４１Ａのスラット３８は、略平行となるように傾き始め、第２のレージトング４１Ｂは、立ち上がるように傾き始め、各スラット３８間に間隙が生じ始める。
【００３１】
図９は、スラット３８が完全に開扉した状態を示す正面図であり、図１０は、その上面透過図である。
図に示すように、さらに、両レージトング４１Ａ，４１Ｂの左右幅方向の長さが略等しくなるまで第１のレージトング４１Ａを伸長させるとともに、第２のレージトング４１Ｂを収縮させると、両レージトング４１Ａ，４１Ｂの各スラット３８がさらに傾いて、その傾きが略同一となる。このように傾きが略同一となるまで各スラット３８の間隙を拡大させると、各スラット３８間から十分な採光及び通気が可能となる。
【００３２】
このように、両レージトング４１Ａ，４１Ｂは互いに独立に伸縮自在に構成されていることから、一方のレージトングを収縮させると、その収縮分だけ他方のレージトングを伸長させることができる。従って、框部５５の横幅の長さを可変する機構を設けることなく、ブラインド式雨戸１９を閉じたまま、スラット３８を容易に開閉することができる。
【００３３】
なお、このようにスラット３８の傾きを一定の状態を保持するために、リンク４７の可動を抑制するラッチ３００を設けるようにしてもよい。
図１１は、このラッチ３００を設けたときのブラインド式雨戸１９を示す上面透過図である。
図に示すように、ラッチ３００は、ラッチ３００を上枠２１又は下枠２２に固定するためのラッチ基部３０１と、前述のリンク４７の可動抑制時に操作するレバー３０２と、このレバー３０２と一体に形成されレバー３０２操作により正面側に突出する突出部３０３とを有して構成される。
【００３４】
通常の雨戸１９開閉動作時又はスラット３８の開閉時には、突出部３０３は、リンク４７と接触しないラッチ基部３０１内に収容されている。
ここで、スラット３８の傾きを一定に固定する場合には、スラット３８を所定角度傾けさせた状態で、レバー３０２を正面側にスライドさせて、突出部３０３を正面側に突出させて、リンク４７に接触させる。この状態では、リンク４７を可動させようとしても、突出した突出部３０３に当接してその動作が抑制され、スラット３８の傾きを一定に保つことが可能となる。
その後、レバー３０２を背面側にスライドさせると、リンク４７の可動領域外に突出部３０３が移動してラッチ基部３０１内に収納され、リンク４７による伸縮機能が回復する。
【００３５】
このように、ラッチ３００は、リンク４７に接触させることでその可動を抑制するように構成されているので、スラット３８間の間隙が生じたままで、その状態を一定に維持することができ、適度な量の風又は光を安定して取り入れることが可能となる。
なお、図では、ラッチ３００で、第２のレージトング４１Ｂのリンク可動部分の１つを抑制するように構成しているが、第１のレージトング４１Ａのリンク可動部分を抑制する構成としてもよく、その係止部分は複数であってもよい。
【００３６】
（框部の構成）
また、図に示すように、ブラインド式雨戸１９の端部には、鍵・錠などのロック機構を有する框部５５が取り付けられている。
この框部５５は、ブラインド式雨戸１９を閉扉したときに、ロック機構により雨戸用案内枠２０に固定することで施錠可能となっている。
【００３７】
図１２は、その框部５５背面のロック機構を示す図である。
図に示す例では、このロック機構として、ブラインド式雨戸１９を雨戸用案内枠２０の下枠２２に固定して施錠するフランス錠１０３を設けている。
このフランス錠１０３は、框部５５に上下動可能に支持されて雨戸用案内枠２０の上枠２１又は下枠２２に挿脱可能に構成されている。施錠時には、ピン状の部材を突出させて上枠２１又は下枠２２に挿嵌して施錠する。
また、框部５５の高さ方向の略中央部にはブラインド式雨戸１９を開閉するための把手１０４が設けられている。
【００３８】
なお、前述のフランス錠１０３に加えて又はこれに代えて、鎌錠を設けるようにしてもよい。
この鎌錠は、框部５５に備えられている鎌状部材が施錠方向へ回動して、その鎌状の先端が、縦枠２３に備えられている係止部に係止されることにより施錠するものである。
【００３９】
また、左右対称の一対のブラインド式雨戸１９を雨戸用案内枠２０に設置する両開き式である場合には、これら両雨戸１９の内側に位置する両框部５５同士を施錠する打掛錠を設けるようにしてもよい。
この打掛錠は、両框部５５に設けられている上方開口のコの字状の係止具の双方に、棒状又は板状の部材を渡して嵌合させて施錠するものである。
【００４０】
また、図に示すように、背面側には、さらに、スラット３８の不意の開扉を抑制するために係止部材２００が設けられている。
この係止部材２００は、雨戸用案内枠２０の框部５５側の縦枠２３に回動の支点を設けた回動自在のフック状部材として構成される。そのフック状の先端部分を框部５５に近接したスラット３８に設けられた突起等に係止することにより、スラット３８の開扉を容易に抑制することができるようになっている。
【００４１】
このように、ロック機構、把手１０４及び係止部材２００は、ブラインド式雨戸１９の正面側（外側）からは見えない背面側（家屋側）に設けられるので、雨戸の美観を向上させることが可能となっている。
【００４２】
図１３は、この框部５５の上面断面図である。
図に示すように、框部５５には、雨戸用案内枠２０と移動可能に係合させるガイドピンを嵌入するガイドピン孔５５ａ，５５ｂがそれぞれ設けられている。
これらガイドピン孔５５ａ，５５ｂは、少なくとも框部５５の上下端から所定距離形成されており、框部５５上下に突出するようにガイドピンが嵌入固定可能に構成されている。
これら嵌入され上下に突出したガイドピンは、雨戸用案内枠２０の上下枠２１，２２にそれぞれ移動可能に係合させることで、框部５５が雨戸１９の開閉方向に移動可能となる。
また、ガイドピン孔５５ａに嵌入されたガイドピンには、第２のレージトング４１Ｂにおける最も框部５５側のリンク４７ｂがそのガイドピン回りに回動自在に連結されており、前述の把手１０４を把持して移動させることで、ブラインド式雨戸１９の開閉を行うことができる。
【００４３】
また、框部５５は、ステンレス又はアルミニウムにより一体に成形され、伸縮機構等の可動部分を備えておらず、極めて簡易に構成されているので、框部５５が雨戸用案内枠２０から不意に外れるという不具合を防ぐことが可能となっている。従って、本実施の形態におけるブラインド式雨戸１９は、防犯面においても非常に優れている。
【００４４】
（雨戸用案内枠２０の構成）
次に、ブラインド式雨戸１９を取り付ける雨戸用案内枠２０の構成について詳細に説明する。
図１４は、ブラインド式雨戸１９を取り付ける雨戸用案内枠２０の正面図である。
図に示すように、この雨戸用案内枠２０は、開口部２に対応して四辺形状に形成されている。また、雨戸用案内枠２０は、この四辺形状の上辺部を構成する上枠２１と、下辺部を構成する下枠２２と、側辺部を構成する左右一対の縦枠２３とを有して構成されている。
以下、これら雨戸用案内枠２０の各構成部位について詳細に説明する。
【００４５】
図１５は、これらの構成部位のうち、縦枠２３を側面側から見た断面図である。
図に示すように、縦枠２３は、ブラインド式雨戸１９が嵌め込まれる枠本体２４と、この枠本体２４の外周縁に一体形成された張出部２５とを有して構成されている。
この張出部２５は、外周縁に円弧状のアール部２８が形成されている。
【００４６】
また、図１６は、下枠２２を側面側から見た断面図である。
図に示すように、下枠２２も、縦枠２３と同様に、ブラインド式雨戸１９が嵌め込まれる枠本体１２４と、この枠本体１２４の外周縁に一体形成された張出部１２５とを有して構成されている。
また、図に示すように、枠本体１２４の正面側先端には、サッシ３のガイドレールと略同方向にガイドレール３９が設けられており、このガイドレール３９には、上向きに開口するガイド穴４０が形成されている。
【００４７】
また、図に示すように、建物１の外壁６には、弾性体２６（例えば、薄肉板状のスポンジ材やゴム材などのクッション材）が取り付けられており、さらにこの弾性体２６の正面側に、下枠２２及び両縦枠２３の張出部２５が固定具２７（例えばねじ・釘など）により、貫通孔１７を介して外壁６に固定される。
【００４８】
また、図１７は、前述の上枠２１を側面側から見た断面図である。
図に示すように、この上枠２１は、ブラインド式雨戸１９を吊支する枠本体３０と、この枠本体３０を外壁６に固定する固定部３１とを一体で有して構成されている。この枠本体３０は、開口部２の上側の外壁６に取り付けられた固定部３１に組付結合している。
【００４９】
この固定部３１は、横長のプレート状の部材であって、枠本体３０の長手方向に沿って上下それぞれに一体形成される。外壁６に固着された弾性体２６正面に固定具２７により固定される。
【００５０】
また、上枠２１の枠本体３０は、横長のボックス状に形成されており、内部が三枚の仕切板に仕切られている。この枠本体３０には、固定部３１と反対側の端部に、庇体３７が一体形成されている。
この庇体３７の建物１からの張出寸法は、ブラインド式雨戸１９のスラット３８の幅Ｗよりも大きく設定されているとともに、建物１の外壁６からスラット３８の最外側の先端までの張り出し寸法Ｗαよりも大きく設定されている。したがって、ブラインド式雨戸１９が開かれて、スラット３８が外方へ突出する状態となっても、ブラインド式雨戸１９に雨・雪・塵埃が直接降りかかることを阻止することが可能なようになっている。
【００５１】
そして、図に示すように、上枠２１の庇体３７においても、下枠２２と同様にブラインド式雨戸１９を取り付けるガイドレール３９が形成されており、このガイドレール３９には下面に向けて開口するガイド穴４０が形成されている。また、これら上枠２１，下枠２２のガイドレール３９は、互いに対向する位置に設けられている。
前述のブラインド式雨戸１９は、これらガイドレール３９間に配置され、これらガイドレール３９，１３９に沿って左右にスライド可能に取り付けられる。
すなわち、前述したブラインド式雨戸１９の上側の伸縮機構４１においては、前述のガイドローラ４２（回転軸５０）を庇体３７のガイドレール３９内にガイド穴４０を介して転動自在に嵌入し、上側の伸縮機構４１を吊支するように構成されている。
一方、下側の伸縮機構４１においては、前述のガイドピン４３を下側の伸縮機構４１を下枠２２のガイドレール３９内にガイド穴４０を介して移動可能に係合させる。
【００５２】
なお、上枠２１では、外壁６からガイド穴４０までの長さＤ１が、７０〜１５０ｍｍ程度となるように形成されている。
また、下枠２２においても、外壁６からガイド穴４０までの長さＤ２が、７０〜１５０ｍｍ程度となるように形成されている。
このように、上枠２１及び下枠２２のガイド穴４０の位置を外壁６から外側にある程度突出した位置に設けることで、ベランダや出窓等のように雨戸を外壁６からある程度突出した位置に設置する必要がある場合であっても、柔軟に対応することが可能となる。
【００５３】
（ブラインド式雨戸の取付方法）
次に、前述のように構成されるブラインド式雨戸１９の取付方法について詳細に説明する。
まず、建物１の窓用の開口部２に、サッシ３および窓戸４を嵌め込んだ後に、上枠２１の固定部３１を開口部２の上側の外壁６に当てて固定具２７（例えばねじ・釘など）により貫通孔１７を介して外壁６に固定するとともに、固定部３１に上枠２１の枠本体３０を組み付ける。
【００５４】
具体的には、上枠２１の枠本体３０の両係合部３６を、固定部３１の保持部３２の基部３３間に嵌入するとともに、固定部３１の両係止片３４の先端部に係合させ、これにより上枠２１の枠本体３０が固定部３１に簡易に組付結合され、この点で上枠２１の取付作業の作業効率が向上する。
【００５５】
この結果、上枠２１の枠本体３０は、固定部３１の取付作業後に組み付けられ、これにより上枠２１が二段階の作業により外壁６に取り付けられる。したがって、庇体３７の張出寸法がスラット３８の幅寸法より大きくても、上枠２１の取付作業が庇体３７に邪魔されることがなく、上枠２１の固定部３１および枠本体３０を容易に取り付けることができ、これにより取付作業の作業性が向上する。
【００５６】
また、上枠２１の固定部３１および枠本体３０は、一人で容易に建物１の開口部２の上方まで持ち上げることができるため、この点でも取付の作業効率が向上する。この固定部３１に組付結合された枠本体３０の両係合部３６は、固定部３１の両係止片３４の先端部に係合しているため、取り外しが困難であり、防犯性も問題がない。
【００５７】
その後、両縦枠２３および下枠２２の張出部２５を外壁６に当てて、固定具２７（例えばねじ・釘など）により貫通孔１７を介して固定されて、雨戸用案内枠２０が開口部２の周囲の外壁６に取り付けられる。この張出部２５および上枠２１の固定部３１の取付面には、弾性体２６が固着されているため、建物１の外壁６に吹付や石などの凹凸があっても、弾性体２６が弾性変形し、隙間が生じることがなく、これにより雨水や塵埃などの浸入が防止され、シール性が向上する。
【００５８】
このように雨戸用案内枠２０を開口部２の周囲の外壁６に取り付けた後に、ブラインド式雨戸１９が嵌め込まれる。すなわち、ブラインド式雨戸１９の外側部を縦枠２３の枠本体２４に固定するとともに、ガイドピン４３を下枠２２のガイドレール３９内にガイド穴４０を介して移動可能に係合し、その後、ガイドローラ４２のローラ部５１を、上枠２１のガイドレール３９内にガイド穴４０を介して転動可能に装着して、ブラインド式雨戸１９を吊支する。
【００５９】
このローラ部５１は、回転軸５０の外周面に摺接する内周面に、ベアリング５２を有しているため、回転軸５０の外周面に対する摩擦係数が小さく、左右方向にスムーズに移動でき、これにより重量の大きいスラット３８（例えば、高さが大きく設定されているスラット３８）を使用する場合であっても、ブラインド式雨戸１９の開け閉めが容易である。
【００６０】
そして、ブラインド式雨戸１９は、レージトング４１Ｂが収縮するとＸ字状のリンク４７が内外方向で互いに近接し、各スラット３８が互いに重なるように並行して建物１の開口部２を開く一方、レージトング４１Ｂを伸長させるとＸ字状のリンク４７が一連方向で互いに近接し、レージトング４１Ｂの各スラット３８の係止縁４４が互いに連係してほぼ一直線状になり、建物の開口部を閉じる。
【００６１】
このとき、リンク４７ａは、横断面円弧状に折曲形成されているため、幅方向の強度が強く、ブラインド式雨戸１９の重量が大きい場合（スラット３８の高さ及び横幅が大きく設定されている場合など）であっても、折り曲げられるおそれがなく、この点で耐重量性に優れる。
【００６２】
また、建物１の開口部２を閉じたときには、所定のロック機構により框部５５を縦枠２３に固定することができ、框部５５を抉じ開けられることが防止され、この点で防犯効果が向上する。
【００６３】
さらに、建物１の開口部２を閉じるときには、スラット３８のシール部材４６が隣接する他のスラット３８の係止縁４４に密着するため、各スラット３８のシール性が向上し、結露対策や雨水対策などに効果的である。
【００６４】
なお、本発明は、上記実施形態に限定されるものではなく、例えば上枠２１の枠本体３０に庇体３７が一体形成されていないタイプの雨戸用案内枠２０にも適用することができる。
【００６５】
この場合も、上枠２１の枠本体３０は、固定部３１の取付後に固定部３１に組み付けられるため、上枠２１が二段階の作業により外壁に取り付けられ、固定部３１の取り付けを枠本体３０により邪魔されることがなく、容易に取り付けることができる。
【００６６】
また、建物１の外壁６に接着剤などを用いて、固定部３１および張出部２５を固着するタイプの雨戸用案内枠２０にも適用することができる。
【００６７】
この場合は、ねじ・くぎなどを外されて、雨戸用案内枠２０が取り外されることがなく、防犯効果が向上する。さらに、雨戸用案内枠２０とサッシ３とを一体形成したものにも適用することができる。
【００６８】
（実施の形態のまとめ）
以上説明したように、本実施の形態におけるブラインド式雨戸１９は、両レージトング４１Ａ，４１Ｂは独立に伸縮自在に構成されているので、一方のレージトングを収縮させると、その収縮分だけ他方のレージトングを伸長させることができる。従って、框部５５の横幅の長さを可変する複雑な機構を設けることなく、ほぼ同一構造のレージトング４１Ａ，４１Ｂを連結した簡易な構成で、ブラインド式雨戸１９を閉じたままスラット３８を容易に開閉させることができ、十分な採光及び通気が可能となっている。
また、各レージトング４１Ａ，４１Ｂのリンク数及びスラット３８の個数を任意に増減させることで、あらゆるサイズの窓戸４に対応したブラインド式雨戸１９を容易に提供することができるとともに、スラット３８の最大傾きを容易に調整することが可能となる。
また、前述したように、本実施の形態における伸縮機構４１は、個々に独立して伸縮する複数のレージトングを連結して構成されているので、その雨戸１９の開閉に必要な力が分散し、力の弱い子供やお年寄りでも容易に把手１０４を左右に引いて開閉することができる。
【００６９】
さらに、このブラインド式雨戸１９を閉扉すると、窓又は扉部分を強固な雨戸で隠蔽するので、建物内を外から見られるといったプライバシー面の問題を解決するとともに、建物への侵入といった防犯上の問題も解決できるようになっている。
例えば、このブラインド式雨戸１９が設置されているべランダに洗濯物を干す場合、この雨戸１９を閉扉すると、洗濯物を隠蔽し、盗難を防止できるとともに、スラット３８間から十分な採光及び通気も期待できるので、雨戸を開扉した状態とさほど変わりなく洗濯物を乾かすことが可能となる。
また、このブラインド式雨戸１９は、断熱性に優れ、暖房効果を高めるとともに、結露対策にも有効である。
【００７０】
また、前述したように、框部５５に伸縮機構を設けなくてもよいことから、框部５５（ブラインド式雨戸１９）が、雨戸用案内枠２０から外れるおそれがなく、防犯面でも効果的である。
また、本実施の形態によれば、框部５５の把手１０４を把持してブラインド式雨戸１９を開閉するとき、框部５５自体には伸縮機構が設けられていないので、その伸縮動作に起因する騒音の発生を防ぐことが可能となる。
【００７１】
また、本実施の形態によれば、ラッチ３００は、リンク４７に接触させることでその可動を抑制するように構成されているので、スラット３８間の間隙が生じたままで、その状態を一定に維持することができ、適度な量の風又は光を安定して取り入れることが可能となる。
【００７２】
また、框部５５のロック機構及び係止部材２００は、正面側（外側）からは見えない背面側（家屋側）に設けられるので、雨戸の美観を向上させることが可能となっている。
また、このロック機構としては、フランス錠１０３の他、鎌錠又は打掛錠を設けることもできる。
また、係止部材２００は、フック状の先端部分を框部５５に近接したスラット３８に設けられた突起等に係止することにより、スラット３８の開扉を容易に抑制し、スラット３８の傾きを任意の角度に固定することができる。
【００７３】
また、前述した実施の形態では、伸縮機構４１は、２つのレージトング４１Ａ，４１Ｂを伸縮方向に連結して構成されているが、３以上のレージトングを同様に連結して構成するようにしてもよい。なお、このときの各レージトング間の連結構造は、前述した第１，第２のレージトング４１Ａ，４１Ｂの連結構造と同様である。
【００７４】
また、前述の実施の形態では、ブラインド式雨戸１９を片開き型としたが、雨戸用案内枠２０に左右対称に設け、両開き型としてもよい。
【００７５】
なお、上記の実施例は本発明の好適な実施の一例であり、本発明の実施例は、これに限定されるものではなく、本発明の要旨を逸脱しない範囲において種々変形して実施することが可能となる。
【図面の簡単な説明】
【００７６】
【図１】本発明の実施の形態におけるブラインド式雨戸の開扉時の縦断面図である。
【図２】本発明の実施の形態における開扉時の横断面図である。
【図３】本発明の実施の形態におけるブラインド式雨戸の拡大斜視図である。
【図４】本発明の実施の形態における第１，第２のレージトングとガイドローラとの結合部分を詳細に示した分解斜視図である。
【図５】本発明の実施の形態におけるブラインド式雨戸が閉扉し、スラットも完全に閉扉した状態を示す正面図である。
【図６】本発明の実施の形態におけるブラインド式雨戸が閉扉し、スラットも完全に閉扉した状態を示す上面透過図である。
【図７】本発明の実施の形態におけるブラインド式雨戸が閉扉したままスラットが開扉し始めた状態を示す正面図である。
【図８】本発明の実施の形態におけるブラインド式雨戸が閉扉したままスラットが開扉し始めた状態を示す上面透過図である。
【図９】本発明の実施の形態におけるスラットが完全に開扉した状態を示す正面図である。
【図１０】本発明の実施の形態におけるスラットが完全に開扉した状態を示す上面透過図である。
【図１１】本発明の実施の形態における係止部材を設けたときのブラインド式雨戸を示す上面透過図である。
【図１２】本発明の実施の形態における框部背面のロック機構を示す図である。
【図１３】本発明の実施の形態における框部の上面断面図である。
【図１４】本発明の実施の形態におけるブラインド式雨戸を取り付ける雨戸用案内枠の正面側を示す図である。
【図１５】本発明の実施の形態における縦枠を側面側から見た断面図である。
【図１６】本発明の実施の形態における下枠を側面側から見た断面図である。
【図１７】本発明の実施の形態における上枠を側面側から見た断面図である。
【符号の説明】
【００７７】
１    建物
２    開口部
３    サッシ
４    窓戸
６    外壁
１９    ブラインド式雨戸
２０    雨戸用案内枠
２１    上枠
２２    下枠
２３    縦枠
２４，１２４    枠本体
２５，１２５    張出部
２６    弾性体
２７    固定具
２９    接着剤
３０    枠本体
３１    固定部
３７    庇体
３８    スラット
３９    ガイドレール
４０    ガイド穴
４１    伸縮機構
４１Ａ    第１のレージトング
４１Ｂ    第２のレージトング
４２    ガイドローラ
４４    係止縁
４６    シール部材
４７ａ，４７ｂ，４７ｃ    リンク
４８    ロッド
４９    基部
５０    回転軸
５２    ローラ部
５３    ワッシャー
５４    ナット
５５    框部
５５ａ，５５ｂ    ガイドピン孔
１０３    フランス錠
１０４    把手
２００    係止部材
３００    ラッチ
３０１    ラッチ基部
３０２    レバー
３０３    突出部
【図１】
2008285890.tif 000003
【図２】
2008285890.tif 000004
【図３】
2008285890.tif 000005
【図４】
2008285890.tif 000006
【図５】
2008285890.tif 000007
【図６】
2008285890.tif 000008
【図７】
2008285890.tif 000009
【図８】
2008285890.tif 000010
【図９】
2008285890.tif 000011
【図１０】
2008285890.tif 000012
【図１１】
2008285890.tif 000013
【図１２】
2008285890.tif 000014
【図１３】
2008285890.tif 000015
【図１４】
2008285890.tif 000016
【図１５】
2008285890.tif 000017
【図１６】
2008285890.tif 000018
【図１７】
2008285890.tif 000019